(57)【特許請求の範囲】
【請求項１】
観察者の左眼に対して左眼用画像を表示する左眼用表示部と、右眼に対して右眼用画像を表示する右眼用表示部とを備える頭部装着型表示装置であって、
観察者が装着する際の観察者の正面位置で前記左眼用表示部と前記右眼用表示部とを結合すると共に、観察者の頭部に装着するための結合手段を備え、
該結合手段で結合した前記左眼用表示部と前記右眼用表示部とを分離することにより、観察者の頭部から脱着することを可能とし、
前記左眼用表示部と前記右眼用表示部との結合及び分離の少なくともいずれかを検知する検知手段と、
前記検知手段の検知結果に基づき、前記左眼用表示部と前記右眼用表示部とへの電源の遮断及び供給の少なくともいずれかを行う電源制御手段を有することを特徴とする頭部装着型表示装置。
【請求項２】
前記左眼用表示部に前記左眼用画像を表示し、前記右眼用表示部に前記右眼用画像を表示する表示駆動手段と、表示された前記左眼用画像と前記右眼用画像とを拡大して観察者の瞳に導く光学系手段とを備えることを特徴とする請求項１に記載の頭部装着型表示装置。
【請求項３】
前記左眼用表示部と前記右眼用表示部との結合及び分離を検知する検知手段を有することを特徴とする請求項１又は２に記載の頭部装着型表示装置。
【請求項４】
前記左眼用表示部と前記右眼用表示部との前記電源の遮断及び供給の状態を表示する表示手段を備えることを特徴とする請求項１に記載の頭部装着型表示装置。
【請求項５】
前記電源制御手段は前記検知手段が前記左眼用表示部と前記右眼用表示部との結合を検知すると、前記電源の供給を行い、前記検知手段が前記左眼用表示部と前記右眼用表示部との分離を検知すると前記電源の遮断を行うことを特徴とする請求項１に記載の頭部装着型表示装置。
【請求項６】
観察者の左眼に対して左眼用画像を表示する左眼用表示部と、右眼に対して右眼用画像を表示する右眼用表示部とを備え、前記左眼用表示部と前記右眼用表示部とを結合及び分離することが可能な頭部装着型表示装置の結合及び分離の状態の表示を制御する制御方法であって、
前記左眼用表示部と前記右眼用表示部との結合及び分離の少なくとも何れかを検出する検出工程と、
該検出工程による検出に基づき、前記左眼用表示部と前記右眼用表示部とへの電源の遮断及び供給の少なくともいずれかを行う制御工程とを有することを特徴とする頭部装着型表示装置の制御方法。
【請求項７】
観察者の左眼に対して左眼用画像を表示する左眼用表示部と、右眼に対して右眼用画像を表示する右眼用表示部とを備え、前記左眼用表示部と前記右眼用表示部とを結合及び分離することが可能とし、結合及び分離の状態の表示を制御することを特徴とする制御プログラムであって、
コンピュータにより前記左眼用表示部と前記右眼用表示部との結合及び分離の少なくとも何れかを検出する検出工程と、
該検出工程の検出に基づき、前記左眼用表示部と前記右眼用表示部とへの電源の遮断及び供給の少なくともいずれかを行う制御工程とを行うことを特徴とする頭部装着型表示装置の制御プログラム。
【発明の詳細な説明】
【０００１】
【発明の属する技術分野】
本発明は、観察者の頭部や顔面に装着して映像の文字情報を表示する頭部装着型表示装置（ＨＭＤ：ヘッドマウントディスプレイ）に関するものである。
【０００２】
【従来の技術】
近年、携帯電話や電子メールやスケジューラ機能を有する個人用携帯情報端末（ＰＤＡ）等の小型軽量化に伴い、これらのデバイスを衣服や身体に装着、又は常時携帯するといったウェアラブルコンピューティングの概念が定着しつつある。
【０００３】
このウェアラブルコンピューティングに用いられる表示デバイスとしては、従来パッケージビデオやバーチャル・リアリティ（ＶＲ）の表示装置として用いられてきた頭部装着型表示装置が注目されており、特開平１０−２８９０３４号公報に示すように、これを利用した種々のコンピュータシステムが提案されている。
【０００４】
ウェアラブルコンピューティングに利用されている頭部装着型表示装置は、図１４に示すような表示部本体を、ベルトを介して固定するタイプのディスプレイＡや、図１５に示すような表示部本体１に付属している耳掛け部２を介して耳部に引っ掛けて固定するディスプレイＢがあり、場所や状況に応じた様々な機能、形態のものが用いられている。また、図１５に示すディスプレイＢは表示部本体１の側面に設けられた耳掛け部２を、ヒンジ３を介して矢印方向に曲げることにより収納することができる。
【０００５】
図１６は表示素子として小型軽量の液晶パネルを用いた従来例の頭部装着型表示装置の構成図を示しており、映像信号を入力するデコーダ処理部１１の出力と、電源スイッチ１２を接続した電源回路１３の出力は表示駆動回路１４に接続されている。また、電源回路１３の出力はドライバ１５Ｌ、１５Ｒを介して照明用のバックライト１６Ｌ、１６Ｒにそれぞれ接続され、表示駆動回路１４の出力は自発光しない液晶パネルから成る左右眼用表示素子１７Ｌ、１７Ｒにそれぞれ接続されている。この表示素子１７Ｌ、１７Ｒには、それぞれプリズムから成る光学素子１８Ｌ、１８Ｒが取り付けられ、光学素子１８Ｌ、１８Ｒにはそれぞれ入射面１８Ｌａ、１８Ｒａ、反射面１８Ｌｂ、１８Ｒｂ、ハーフミラー面１８Ｌｃ、１８Ｒｃが形成されている。そして、左右のドライバ１５Ｌ、１５Ｒ、バックライト１６Ｌ、１６Ｒ、表示素子１７Ｌ、１７Ｒ、光学素子１８Ｌ、１８Ｒにより、それぞれ表示光学系１９Ｌ、１９Ｒが形成されている。
【０００６】
電源スイッチ１２をオンすると、電源回路１３は画像表示装置全体に必要な電力の供給を開始する。テレビチューナ又は映像再生器からの映像信号であるＮＴＳＣ信号は、デコーダ処理部１１に入力され、ＲＧＢ信号に変換された後に表示駆動回路１４に出力され、表示素子１７Ｌ、１７Ｒに映像が表示される。また、表示素子１７Ｌ、１７Ｒは自発光型素子ではないので、それぞれ照明用のバックライト１６Ｌ、１６Ｒによって照明される。
【０００７】
表示光学系１９Ｌ、１９Ｒにおいて、バックライト１６Ｌ、１６Ｒから発して表示素子１７Ｌ、１７Ｒを通過した光束は、光学素子１８Ｌ、１８Ｒの入射面１８Ｌａ、１８Ｒａに入射し、更に反射面１８Ｌｂ、１８Ｒｂに臨界角以上の入射角で入射して全反射される。この全反射した光束はハーフミラー面１８Ｌｃ、１８Ｒｃで反射され、再び反射面１８Ｌｂ、１８Ｒｂに臨界角以下で入射して、観察者の瞳ｅＬ、ｅＲ（ｅＲは図示せず）に結像する。この結果、観察者には表示素子１７Ｌ、１７Ｒに表示される映像が拡大して観察される。
【０００８】
【発明が解決しようとする課題】
しかしながら上述の従来例の頭部装着型表示装置は、モバイルコンピューティングやウェアラブルコンピューティングを行うために、屋外に頭部装着型表示装置を持ち運ぶことに関しては考慮されておらず、持ち運ぶには不適当な形状である。従って、電子メールを読む時やインターネットにアクセスする時のみ、頭部に頭部装着型表示装置を装着し、アクセス等が終了した時、頭部から脱着して鞄等に収納して携帯できるほうが好ましい。また、従来の頭部装着型表示装置は電池使用量を削減するための構成にはなっていない。更に従来の頭部装着型表示装置は、外部装置をより簡便に制御できる構成にはなっていない。
【０００９】
本発明の目的は、日常の使用状態において携帯が容易で、かつ挿着、脱着が容易な頭部装着型表示装置を提供することにある。
【００１０】
本発明の他の目的は、電池使用量を削減して再充電することなく長時間利用することが可能な頭部装着型表示装置の制御方法を提供することにある。
【００１１】
本発明の更に他の目的は、接続する外部装置をより簡便に制御可能とした頭部装着型表示装置の制御プログラムを提供することにある。
【００１２】
【課題を解決するための手段】
上記目的を達成するための本発明に係る頭部装着型表示装置は、観察者の左眼に対して左眼用画像を表示する左眼用表示部と、右眼に対して右眼用画像を表示する右眼用表示部とを備える頭部装着型表示装置であって、観察者が装着する際の観察者の正面位置で前記左眼用表示部と前記右眼用表示部とを結合すると共に、観察者の頭部に装着するための結合手段を備え、該結合手段で結合した前記左眼用表示部と前記右眼用表示部とを分離することにより、観察者の頭部から脱着することを可能とし、前記左眼用表示部と前記右眼用表示部との結合及び分離の少なくともいずれかを検知する検知手段と、前記検知手段の検知結果に基づき、前記左眼用表示部と前記右眼用表示部とへの電源の遮断及び供給の少なくともいずれかを行う電源制御手段を有することを特徴とする。
【００１３】
また、本発明に係る頭部装着型表示装置の制御方法は、観察者の左眼に対して左眼用画像を表示する左眼用表示部と、右眼に対して右眼用画像を表示する右眼用表示部とを備え、前記左眼用表示部と前記右眼用表示部とを結合及び分離することが可能な頭部装着型表示装置の結合及び分離の状態の表示を制御する制御方法であって、前記左眼用表示部と前記右眼用表示部との結合及び分離の少なくとも何れかを検出する検出工程と、該検出工程による検出に基づき該検出工程による検出に基づき、前記左眼用表示部と前記右眼用表示部とへの電源の遮断及び供給の少なくともいずれかを行う制御工程とを有することを特徴とする。
【００１４】
更に、本発明に係る映像信号供給装置の制御プログラムは、観察者の左眼に対して左眼用画像を表示する左眼用表示部と、右眼に対して右眼用画像を表示する右眼用表示部とを備え、前記左眼用表示部と前記右眼用表示部とを結合及び分離することが可能とし、結合及び分離の状態の表示を制御することを特徴とする制御プログラムであって、コンピュータにより前記左眼用表示部と前記右眼用表示部との結合及び分離の少なくとも何れかを検出する検出工程と、該検出工程の検出に基づき、前記左眼用表示部と前記右眼用表示部とへの電源の遮断及び供給の少なくともいずれかを行う制御工程とを行うことを特徴とする。
【００１５】
【発明の実施の形態】
本発明を図１〜図１３に図示の実施例に基づいて詳細に説明する。
図１は第１の実施例におけるヘッドマウント型映像表示装置の斜視図を示しており、表示部本体２１はケーブル２２を介してリモートコントロール部２３に接続されており、更にケーブル２４を介して中継ボックス２５に接続され、映像信号、音声信号、電源等が伝送されるようになっている。この中継ボックス２５には、電源ジャック２６、モバイルコンピュータからＶＧＡ映像信号を入力する映像入力ジャック２７、音声を入力する音声入力ジャック２８が設けられている。また、中継ボックス２５内には、図示しない充電可能な電池が内蔵されている。
【００１６】
電源ジャック２６は内蔵電池の充電や外部電力供給のためのＡＣアダプタを接続するために使用する。また、映像入力ジャック２７はテレビチューナ又は映像再生器などのＮＴＳＣ映像信号用であってもよいし、映像入力ジャック２７と音声入力ジャック２８を１個のジャックに結合してもよい。また、リモートコントロール部２３には中継ボックス２５と通信するための選択釦２９が設けられている。
【００１７】
図２は表示部本体２１の電気的構成図を示している。左眼用画像表示部３１Ｌと右眼用画像表示部３１Ｒは、使用時に一対の連結部材３２を介して連結される。画像表示部３１Ｌ、３１Ｒの側面には、フレーム３３Ｌ、３３Ｒがそれぞれ取り付けられている。このフレーム３３Ｌ、３３Ｒの他端には頭部装着型表示の脱落を防止するため、フレーム３３Ｌ、３３Ｒの長さを調整するための調整部３４Ｌ、３４Ｒが設けられている。また、フレーム３３Ｌ、３３Ｒには弯曲した耳掛けフレーム３５Ｌ、３５Ｒが設けられ、これを眼鏡のつるのように耳に掛けて頭部に装着するようになっている。耳掛けフレーム３５Ｌ、３５Ｒにはイヤホン３６Ｌ、３６Ｒが付設されている。後頭部フレーム３７は後頭部を周回し、耳掛けフレーム３５Ｌ、３５Ｒの両端を連結している。後頭部フレーム３７には電力や映像信号、音声信号を供給するケーブル２２が取り付けられ、後頭部フレーム３７、耳掛けフレーム３５、調整部３４、フレーム３３の内部を通って画像表示部３１Ｌ、３１Ｒ、イヤホン３６Ｌ、３６Ｒに接続されている。
【００１８】
図３は連結部材３２の拡大図を示している。連結部材３２は左眼用画像表示部３１Ｌに設けられた雌型結合部材３２Ｌと、右眼用画像表示部３１Ｒ側に設けられた雄型結合部材３２Ｒとにより構成されており、各結合部材３２Ｌ、３２Ｒには接触により結合を検知する結合検知部３８Ｌ、３８Ｒがそれぞれ設けられている。この結合検知部は例えば接触により通電する一対の電極を用いればよい。頭部装着型表示装置を頭部に装着する際には雌型結合部材３２Ｌと雄型結合部材３２Ｒを観察者の眉間下部において結合することで、頭部への装着をより強固なものとし、視線方向に対する表示部３１Ｌ、３１Ｒのずれを防止する。また、雌型結合部材３２Ｌと雄型結合部材３２Ｒが結合することにより、結合検知部３８Ｌ、３８Ｒが接触し、結合されたことが検知される。
【００１９】
図４は頭部装着型表示装置を装着した状態の正面図、図５は側面図を示している。なお、図４では説明のため連結部材３２が分離した状態が描かれているが、装着時は結合して使うものとする。頭部装着型表示装置を装着中においては、フレーム３３Ｌ、３３Ｒによって表示部３１Ｌ、３１Ｒは視線方向に固定され、更に連結部材３２を用いて表示部３１Ｌ、３１Ｒを連結することにより、頭部装着型表示装置が強固に頭部に装着される。これにより、日常生活上の首振り、立ち上がり、しゃがみこみなどの動作において、視線方向に対する表示部３１Ｌ、３１Ｒのずれが少なくなる。また、連結部材３２が接続されると結合検知部３８Ｌ、３８Ｒ同士が接触し、その連結が検出される。
【００２０】
図６は頭部装着型表示装置を外して首部に掛けて携帯している状態の正面図、図７は側面図を示している。インターネット等のアクセスが終了し、頭部装着型表示装置の利用を中断する場合には、これらの図６、図７に示すように、連結部材３２の嵌合を外すことにより、結合検知部３８Ｒ、３８Ｌは表示部３１Ｌ、３１Ｒが分離されたことを検出する。
【００２１】
また、画像表示部３１Ｌ、３１Ｒには、図８に示すように映像表示用の液晶表示素子４１、バックライト４２、光学素子４３が内蔵されており、表示素子４１の映像はバックライト４２により照明され、光学素子４３を介して眼球に到達するようになっている。これにより装着者は目前の中空上に画像の空中拡大等映像を観察することが可能となる。
【００２２】
図９は表示部本体２１及び中継ボックス２５の電気的構成図を示している。左右眼用の画像表示部３１Ｌ、３１Ｒにおいて、ドライバ４０Ｌ、４０Ｒの出力はそれぞれ液晶表示素子４１Ｌ、４１Ｒを照明するバックライト４２Ｌ、４２Ｒに接続されている。液晶表示素子４１Ｌ、４１Ｒにはそれぞれプリズムから成る光学素子４３Ｌ、４３Ｒが取り付けられている。光学素子４３Ｌ、４３Ｒには入射面４３Ｌａ、４３Ｒａ、反射面４３Ｌｂ、４３Ｒｂ、ハーフミラー面４３Ｌｃ、４３Ｒｃがそれぞれ形成されている。なお、バックライトは左眼用バックライト４２Ｌと右眼用バックライト４２Ｒとを分けて配置する場合と、左右共用の１個のバックライトを配置する場合がある。
【００２３】
中継ボックス２５内には、電源スイッチ５１、電池を有する電源回路５２、映像信号が入力されるデコーダ処理部５３、音声信号が入力されるオーディオ処理部５４が配置されている。デコーダ処理部５３の出力は信号処理部５５、映像信号制御部５６に接続されている。また、信号処理部５５はキャラクタ発生部５７を介して映像信号制御部５６に接続されている。映像信号制御部５６、入力手段５８の出力は制御手段５９に接続され、制御手段５９は記憶手段６０に接続されている。オーディオ処理部５４は音声信号制御部６１を介して制御手段５９に接続されている。
【００２４】
制御手段５９はこの頭部装着型表示装置の映像信号、音声信号、入出力信号、電源等の全てを制御する部分であり、映像信号制御部５６、音声信号制御部６１、電源回路５２、結合検知部３８（３８Ｌ、３８Ｒに該当）が接続されている。
【００２５】
入力手段５８は釦やスイッチ等により各種のパラメータの設定が可能になっており、例えば中継ボックス２５に配置された入力ジャック２７、２８や、中継ボックス２５と通信可能なリモートコントロール部２３の選択釦２９により、観察者が自分の好みに合わせて、明るさ、色合、色の濃さ、音量、音のバランス、音質等が設定できるようになっている。
【００２６】
表示部本体２１は左右眼用の画像表示部３１Ｌ、３１Ｒ、表示駆動回路６２、イヤホン３６（３６Ｌ、３６Ｒに該当）、結合検知部３８から構成されている。中継ボックス２５の信号処理部５５の出力が表示駆動回路６２に接続され、オーディオ処理部５４の出力がイヤホン３６に接続されており、電源回路５２の出力は表示駆動回路６２、左右のドライバ４０Ｌ、４０Ｒにそれぞれ接続されている。
【００２７】
このような構成において、中継ボックス２５の電源スイッチ５１をオンに入力すると、電源回路５２は画像表示装置全体に必要な電力の供給を開始する。モバイルコンピュータ等からのＶＧＡ出力やテレビチューナ又は映像再生器から、映像信号及び音声信号が中継ボックス２５に入力され、映像信号はデコーダ処理部５３に送られ、音声信号はオーディオ処理部５４に送られる。オーディオ処理部５４において、音声信号は音声パラメータに応じて処理が加えられて、イヤホン３６に出力される。イヤホン３０からの出力はモノラル出力でも、左右別のステレオ出力でもよい。
【００２８】
制御手段５９は結合検知部３８からの信号が接合つまり装着状態を示している場合には、記憶手段６０に記憶されている明るさ、色合、色の濃さ等の映像パラメータを映像信号制御部５６に送る。各映像パラメータはＤ／Ａ変換されてデコーダ処理部５３に送られる。デコーダ処理部５３においてこれらの映像パラメータに応じてＮＴＳＣ信号がＲＧＢ信号に変換され、信号処理部５５に送られる。キャラクタ発生部５７は映像信号制御部５６から送られてくる指示に従って、観察者に対する注意や警告、明るさや色彩等の調整画面の画像データを信号処理部５５に送出する。信号処理部５５において．キャラクタ発生部５７からの画像データは必要に応じて入力映像信号と混合処理される。
【００２９】
デコーダ処理部５３又は信号処理部５５からのＲＧＢ信号は中継ボックス２５から出力され、ケーブル２２等を介して表示部本体２１の表示駆動回路６２に伝送される。ここで、左右の液晶表示素子４１Ｌ、４１Ｒはそれぞれバックライト４２Ｌ、４２Ｒに照明される。バックライト４２Ｌ、４２Ｒから発した光束は導光板により分配されて液晶表示素子４１Ｌ、４１Ｒを通過し、光学素子４３Ｌ、４３Ｒの入射面４３Ｌａ、４３Ｒａに入射し、反射面４３Ｌｂ、４３Ｒｂに臨界角以上の入射角で入射して全反射する。この全反射した光はハーフミラー面４３Ｌｃ、４３Ｒｃで反射し、反射面４３Ｌｂ、４３Ｒｂに臨界角以下で入射し、使用者の瞳ｅＬ、ｅＲ（ｅＲは図示せず）に結像する。この結果、使用者には液晶表示素子４１Ｌ、４１Ｒに表示される映像が拡大して観察される。
【００３０】
図１０は頭部装着型表示装置の電源制御のフローチャート図を示している。先ず、ステップ１において開始するとステップ２に進む。電源スイッチ５１により電源が入力されるとステップ３において結合検知部３８が画像表示部３１Ｌと画像表示部３１Ｒの接続状態を判断し、制御手段５９に出力する。ステップ４において制御手段５９は結合検知部３８からの信号が接続を示す信号である場合にはステップ５に進み、電源回路５２に対して表示駆動回路６２及び中継ボックス２５内の回路に電源を供給するよう出力する。電源回路５２はそれに従って電源を供給し、ステップ６において映像表示が継続的に行われる。
【００３１】
またステップ４において、結合検知部３８からの信号が画像表示部３１Ｌと３１Ｒの分離を示す信号である場合にはステップ７に進み、制御手段５９は電源回路５２に対し、表示駆動回路６２及び制御手段５９以外の中継ボックス２５内の回路への電力供給を中断するよう出力し、ステップ８において電源回路５２はそれに従って電源供給を中断する。これにより、以後は映像表示が中断される。
【００３２】
電源スイッチ５１により電源が入力され続けている限り、制御手段５９には電源が供給され続け、常に結合検知部３８の状態に応じて電源の制御を行う。電源スイッチ５１により電源が切断されるとステップ９に進み、制御手段５９にも電源が供給されなくなり、終了となる。
【００３３】
このように、結合検知部３８の出力に応じ、電源供給を制御することができるため、使用者が装置を装着することに連動して、装着した場合は自動的に電源を入力、非装着の場合は電源を切断することができる。
【００３４】
図１１は第２の実施例における頭部装着型表示装置の電気的構成図を示している。第１の実施例における頭部装着型表示装置の制御手段５９に外部端子を介して、外部からの電源制御信号を入力する制御信号入力Ｉと、外部へ電源制御状態を出力する制御信号出力Ｏとが加えられており、その他の構成は第１の実施例と同様であり、同じ機能の部材は同符号で示している。
【００３５】
制御信号入力Ｉは外部装置から頭部装着型表示装置の電源状態を制御するための信号である。これは頭部装着型表示装置に接続され、映像信号を供給するコンピュータ等の電源や画面出力がオフの場合に、頭部装着型表示装置の電源を切断するために利用される。なお、ＶＥＳＡ規格にあるＤＰＭＩなどのモニタ省電力信号を、本実施例の制御信号入力Ｉとして利用してもよい。
【００３６】
制御信号出力Ｏは頭部装着型表示装置の電源状態を外部装置に通知するための信号である。これは頭部装着型表示装置の電源が切断されている場合に、頭部装着型表示装置に接続するコンピュータ等の機器の電源を制御するため或いは映像信号の出力を制御するために利用する。
【００３７】
図１２は本実施例における頭部装着型表示装置の電源制御のフローチャート図を示している。先ず、ステップ１０において開始するとステップ１１に進む。電源スイッチ５１により電源が入力されると、ステップ１２において結合検知部３８が、画像表示部３１Ｌと画像表示部３１Ｒとの接続状態を判断し、制御手段５９に出力する。ステップ１３においてこの出力信号が接続を示すものか切断を示すものか判断が行われ、接続を示す信号である場合にはステップ１４に進む。ステップ１４では制御信号入力Ｉが電源制御を指示する信号か否かを判断する。
【００３８】
制御信号入力Ｉが電源制御を指示する信号でない場合は、ステップ１５において、制御手段５９は電源回路５２に対して表示駆動回路６２及び中継ボックス２５内の回路に電源を供給するよう出力し、電源回路５２はそれに従ってステップ１６において電源を供給し、映像表示が継続的に行われる。続いて、ステップ１７に進み、制御手段５９は制御信号出力に現在の電源制御状況を出力する。
【００３９】
また、ステップ１４において制御信号入力Ｉが電源制御を指示する信号の場合には、ステップ１８に進み、電源入力指示か切断指示を判定し、入力指示の場合はステップ１５以下の処理を行う。また、切断指示の場合には、ステップ１３において結合検知部３８から画像表示部３１Ｌと画像表示部３１Ｒの分離を示す信号が届いた場合と同様にステップ１９に進み、制御手段５９は電源回路５２に対し、表示駆動回路６２及び制御手段５９以外の中継ボックス２５内の回路への電力供給を中断するよう出力し、電源回路５２はそれに従ってステップ２０において電源供給を中断する。引き続いてステップ１７に進み、制御信号出力に現在の電源制御状況が出力される。
【００４０】
電源スイッチ５１により電源が入力され続けている限り、制御手段５９には電源が供給され続け、常に結合検知部３８の状態及び制御信号入力に応じて電源の制御を行う。しかしながら、ステップ１１において電源スイッチ５１により電源が切断されるとステップ２１に進み、制御手段５９にも電源が供給されなくなり終了となる。
【００４１】
このように第２の実施例では、結合検知部３８の出力及び制御信号入力Ｉに応じて電源供給を制御することができるので、頭部装着型表示装置に映像信号を出力するコンピュータなどの機器が、それ自体の動作状態に対応して頭部装着方表示装置の電源を制御することができる。
【００４２】
また、頭部装着型表示装置から制御信号出力Ｏが出ているため、頭部装着型表示装置に映像信号を出力するコンピュータなどの機器に対して、頭部装着方表示装置の電源状態を通知することができる。例えば、頭部装着型表示装置の電源が切断されているにもかかわらず、映像信号を出力し続けたり、コンピュータ機器が動作しているという電源の無駄を防止することができ、モバイルコンピューティング時の全体的な電力消費を軽減することが可能となる。
【００４３】
その際に、コンピュータ側としては図１３に示すようなフローチャート図に相当するプログラムをＯＳやアプリケーションソフトのプログラム内に含んでいればよい。具体的には、表示装置側からの制御信号があれば、それを判別して映像信号出力を開始／中断する。これは装置電源のオン／オフに置換してもよい。
【００４４】
また、頭部装着型表示装置の電源が切断された場合に、連動してその頭部装着型表示に映像を出力しているコンピュータなどの機器の電源を切断することも可能である。
【００４５】
【発明の効果】
以上説明したように本発明に係る頭部装着型表示装置は、左眼用表示部と右眼用表示部を備え、これらの表示部を観察者正面の位置で結合、分離が可能であるため、使用しないときは首部に装着部材を掛けておくことが可能となる。
【００４６】
モバイルコンピューティングやウェアラブルコンピューティングでは、電車の中でコンピュータ内の文書を閲覧して、電車を乗り換えるときに頭部装着型表示装置を頭部より取り外し、また次の電車に乗った後に頭部に装着し文書の閲覧に戻るというような利用ができる。このような利用において、着脱が容易で着脱時に鞄、袋等に収納せずに首に掛けて持ち運ぶことができるため、ユーザの利便性を向上させることができる。
【００４７】
また、左眼用表示部と右眼用表示部を分離して首に掛けている間は、映像表示部への電源供給が抑制するようにすることにより、電力消費を減少し、例えば電池の消耗を軽減し屋外での利用時間を長くすることが可能となる。
【００４８】
更に、電源制御を外部から行う制御信号入力、外部に電源状態を通知する制御信号出力を設けることで、頭部装着型表示装置を利用するコンピュータや映像機器の全体的な映像信号出力制御、電源制御等を行うことが可能となり、システム全体の屋外での利用時間を長くすることが可能となる。
【００４９】
本発明に係る頭部装着型表示装置の制御方法によれば、装着状態変化に応じて所定電気回路へ電力を供給／遮断することができ、電力消費を減少させることができる。
【００５０】
更に、本発明に係る頭部装着型表示装置の制御プログラムによれば、頭部装着型表示装置の装着状態変化によって外部装置、特に映像信号供給装置の制御ができるので、より簡便かつ適切な装置制御が可能となる。
【図面の簡単な説明】
【図１】  ヘッドマウント型表示装置の斜視図である。
【図２】  表示部本体の電気的構成図である。
【図３】  連結部材の拡大図である。
【図４】  頭部装着型表示装置を装着した際の正面図である。
【図５】  頭部装着型表示装置を装着した際の側面図である。
【図６】  頭部装着型表示装置を外した際の正面図である。
【図７】  頭部装着型表示装置を外した際の側面図である。
【図８】  画像表示部の断面図である。
【図９】  第１の実施例における電気的構成図である。
【図１０】  第１の実施例におけるフローチャート図である。
【図１１】  第２の実施例における構成図である。
【図１２】  第２の実施例におけるフローチャート図である。
【図１３】  コンピュータ側における部分フローチャート図である。
【図１４】  従来の頭部装着型表示装置の概略図である。
【図１５】  従来の頭部装着型表示装置の概略図である。
【図１６】  従来の頭部装着型表示装置の構成図である。
【符号の説明】
２１  表示部本体
２２、２４  ケーブル
２３  リモートコントロール部
２５  中継ボックス
３１  画像表示部
３２  連結部
３３  フレーム
３４  調整部
３８  結合検知部
４０  表示駆動回路
４１  液晶表示素子
４２  バックライト
４３  光学素子
５１  電源スイッチ
５２  電源回路
５５  信号処理部
５８  入力手段
５９  制御手段
６０  記憶手段
【図１】
0004689029.tif 000002
【図２】
0004689029.tif 000003
【図３】
0004689029.tif 000004
【図４】
0004689029.tif 000005
【図５】
0004689029.tif 000006
【図６】
0004689029.tif 000007
【図７】
0004689029.tif 000008
【図８】
0004689029.tif 000009
【図９】
0004689029.tif 000010
【図１０】
0004689029.tif 000011
【図１１】
0004689029.tif 000012
【図１２】
0004689029.tif 000013
【図１３】
0004689029.tif 000014
【図１４】
0004689029.tif 000015
【図１５】
0004689029.tif 000016
【図１６】
0004689029.tif 000017